(57)【要約】【課題】事前に登録した複数の印刷データを印刷装置で出力する際の利用者の手続を簡単にする。【解決手段】管理サーバ２０は、携帯端末１０から受信したデータに基づいて、利用者の印刷要求に係る複数の印刷データを登録し、登録された複数の印刷データのグループを特定する特定情報をプリンタ３０から受信し、受信した特定情報により特定したグループに属する複数の印刷データをプリンタ３０に提供する。【選択図】図１
2013196498.tif 000002
【特許請求の範囲】
【請求項１】
利用者端末と、管理装置と、印刷装置とを含み、
前記管理装置は、
前記利用者端末から受信したデータに基づいて、利用者の印刷要求に係る複数の印刷データを登録する登録手段と、
前記登録手段により登録された複数の印刷データのグループを特定する特定情報を前記印刷装置から受信する受信手段と、
前記受信手段により受信した特定情報により特定したグループに属する複数の印刷データを前記印刷装置に提供する提供手段と、を含む
ことを特徴とする印刷管理システム。
【請求項２】
前記利用者端末は、
利用者の要求に係る印刷データの登録を前記管理装置に要求する要求手段を含み、
前記管理装置は、
前記要求手段により要求された印刷データを前記登録手段により登録するとともに、当該登録された印刷データを識別する識別情報を前記利用者端末に送信する手段をさらに含み、
前記利用者端末は、
前記管理装置から送信された識別情報の中から選択した複数の識別情報をグループとして登録することを前記管理装置に要求するグループ登録要求手段をさらに含み、
前記管理装置は、
前記グループ登録要求手段による要求に係る複数の識別情報のグループを識別するグループ識別情報を前記利用者端末に送信する手段をさらに含み、
前記印刷装置は、
前記グループ識別情報を取得した場合に、当該取得したグループ識別情報を前記管理装置に送信するグループ識別情報送信手段を含み、
前記受信手段は、前記グループ識別情報送信手段により送信されたグループ識別情報を受信し、
前記提供手段は、前記受信手段により受信したグループ識別情報により識別されるグループに属する複数の識別情報のそれぞれにより識別される印刷データを前記印刷装置に提供し、
前記印刷装置は、
前記グループ識別情報が入力された場合に、前記提供手段により提供された印刷データを処理する処理手段をさらに含む
ことを特徴とする請求項１に記載の印刷管理システム。
【請求項３】
前記利用者端末は、
利用者の要求に係る印刷データの登録を前記管理装置に要求する要求手段を含み、
前記管理装置は、
前記要求手段により要求された印刷データを前記登録手段により登録するとともに、当該登録された印刷データを識別する識別情報を前記利用者端末に送信する手段を含み、
前記印刷装置は、
前記利用者端末から、前記管理装置から送信された識別情報の中から選択した複数の識別情報と、当該複数の識別情報のグループを識別するグループ識別情報とを取得した場合に、当該取得した複数の識別情報を前記管理装置に送信する識別情報送信手段を含み、
前記受信手段は、前記識別情報送信手段により送信された複数の識別情報を受信し、
前記提供手段は、前記受信手段により受信した前記複数の識別情報のそれぞれにより識別される印刷データを前記印刷装置に提供し、
前記印刷装置は、
前記グループ識別情報が入力された場合に、前記提供手段により提供された印刷データを処理する処理手段をさらに含む
ことを特徴とする請求項１に記載の印刷管理システム。
【請求項４】
前記利用者端末は、
利用者の要求に係る印刷データの登録を前記管理装置に要求する要求手段を含み、
前記管理装置は、
前記要求手段により要求された印刷データを前記登録手段により登録するとともに、当該登録された印刷データを識別する識別情報を前記利用者端末に送信する手段と、
前記要求手段により要求された複数の印刷データがある場合に、当該複数の印刷データをそれぞれ識別する複数の識別情報をグループとして登録する手段と、を含み、
前記印刷装置は、
前記複数の識別情報のうちいずれかを取得した場合に、当該取得した識別情報を前記管理装置に送信する識別情報送信手段を含み、
前記受信手段は、前記識別情報送信手段により送信された識別情報を受信し、
前記提供手段は、前記受信手段により受信した識別情報が属するグループに含まれる複数の識別情報のそれぞれにより識別される印刷データを前記印刷装置に提供し、
前記印刷装置は、
前記グループに含まれる識別情報の１つが入力された場合に、前記提供手段により提供された印刷データの中から処理する印刷データを前記利用者の入力に基づいて選択するとともに、当該選択された印刷データを処理する処理手段をさらに含む
ことを特徴とする請求項１に記載の印刷管理システム。
【請求項５】
前記利用者端末は、
利用者の要求に係る複数の印刷データの登録を前記管理装置に要求する要求手段を含み、
前記管理装置は、
前記要求手段により要求された複数の印刷データを前記登録手段に登録するとともに、当該登録された複数の印刷データのグループを識別するグループ識別情報を前記利用者端末に送信する手段を含み、
前記印刷装置は、
前記グループ識別情報を取得した場合に、当該グループ識別情報を前記管理装置に送信するグループ識別情報送信手段を含み、
前記受信手段は、前記グループ識別情報送信手段により送信されたグループ識別情報を受信し、
前記提供手段は、前記受信手段により受信したグループ識別情報により識別されるグループに属する複数の印刷データを前記印刷装置に提供し、
前記印刷装置は、
前記グループ識別情報が利用者から入力された場合に、前記提供手段により提供された印刷データを処理する処理手段をさらに含む
ことを特徴とする請求項１に記載の印刷管理システム。
【請求項６】
利用者端末から受信したデータに基づいて、利用者の印刷要求に係る複数の印刷データを登録する登録手段と、
前記登録手段により登録された複数の印刷データのグループを特定する特定情報を印刷装置から受信する受信手段と、
前記受信手段により受信した特定情報により特定したグループに属する複数の印刷データを前記印刷装置に提供する提供手段と、を含む
ことを特徴とする管理装置。
【請求項７】
利用者端末から受信したデータに基づいて、利用者の印刷要求に係る複数の印刷データを登録する登録手段と、
前記登録手段により登録された複数の印刷データのグループを特定する特定情報を印刷装置から受信する受信手段と、
前記受信手段により受信した特定情報により特定したグループに属する複数の印刷データを前記印刷装置に提供する提供手段
としてコンピュータを機能させるためのプログラム。
【発明の詳細な説明】
【技術分野】
【０００１】
本発明は、印刷管理システム、管理装置及びプログラムに関する。
【背景技術】
【０００２】
サーバにユーザの印刷データを登録し、店舗等に設置されたプリンタからサーバにアクセスしてユーザの印刷データをプリンタにダウンロードして印刷処理するシステムがある（例えば下記の特許文献１を参照）。こうしたシステムでは、ユーザがサーバに登録する印刷データごとに予約番号が付与され、ユーザは出力の対象とする印刷データごとに予約番号をプリンタに入力する必要がある。
【先行技術文献】
【特許文献】
【０００３】
【特許文献１】特開２００８−１１７３４９号公報
【発明の概要】
【発明が解決しようとする課題】
【０００４】
本発明の目的は、事前に登録した複数の印刷データを印刷装置で出力する際の利用者の手続を簡単にすることができる印刷管理システム、管理装置及びプログラムを提供することにある。
【課題を解決するための手段】
【０００５】
上記目的を達成するために、請求項１に記載の発明は、利用者端末と、管理装置と、印刷装置とを含み、前記管理装置は、前記利用者端末から受信したデータに基づいて、利用者の印刷要求に係る複数の印刷データを登録する登録手段と、前記登録手段により登録された複数の印刷データのグループを特定する特定情報を前記印刷装置から受信する受信手段と、前記受信手段により受信した特定情報により特定したグループに属する複数の印刷データを前記印刷装置に提供する提供手段と、を含むことを特徴とする印刷管理システムである。
【０００６】
また、請求項２に記載の発明は、前記利用者端末は、利用者の要求に係る印刷データの登録を前記管理装置に要求する要求手段を含み、前記管理装置は、前記要求手段により要求された印刷データを前記登録手段により登録するとともに、当該登録された印刷データを識別する識別情報を前記利用者端末に送信する手段をさらに含み、前記利用者端末は、前記管理装置から送信された識別情報の中から選択した複数の識別情報をグループとして登録することを前記管理装置に要求するグループ登録要求手段をさらに含み、前記管理装置は、前記グループ登録要求手段による要求に係る複数の識別情報のグループを識別するグループ識別情報を前記利用者端末に送信する手段をさらに含み、前記印刷装置は、前記グループ識別情報を取得した場合に、当該取得したグループ識別情報を前記管理装置に送信するグループ識別情報送信手段を含み、前記受信手段は、前記グループ識別情報送信手段により送信されたグループ識別情報を受信し、前記提供手段は、前記受信手段により受信したグループ識別情報により識別されるグループに属する複数の識別情報のそれぞれにより識別される印刷データを前記印刷装置に提供し、前記印刷装置は、前記グループ識別情報が入力された場合に、前記提供手段により提供された印刷データを処理する処理手段をさらに含むことを特徴とする請求項１に記載の印刷管理システムである。
【０００７】
また、請求項３に記載の発明は、前記利用者端末は、利用者の要求に係る印刷データの登録を前記管理装置に要求する要求手段を含み、前記管理装置は、前記要求手段により要求された印刷データを前記登録手段により登録するとともに、当該登録された印刷データを識別する識別情報を前記利用者端末に送信する手段を含み、前記印刷装置は、前記利用者端末から、前記管理装置から送信された識別情報の中から選択した複数の識別情報と、当該複数の識別情報のグループを識別するグループ識別情報とを取得した場合に、当該取得した複数の識別情報を前記管理装置に送信する識別情報送信手段を含み、前記受信手段は、前記識別情報送信手段により送信された複数の識別情報を受信し、前記提供手段は、前記受信手段により受信した前記複数の識別情報のそれぞれにより識別される印刷データを前記印刷装置に提供し、前記印刷装置は、前記グループ識別情報が入力された場合に、前記提供手段により提供された印刷データを処理する処理手段をさらに含むことを特徴とする請求項１に記載の印刷管理システムである。
【０００８】
また、請求項４に記載の発明は、前記利用者端末は、利用者の要求に係る印刷データの登録を前記管理装置に要求する要求手段を含み、前記管理装置は、前記要求手段により要求された印刷データを前記登録手段により登録するとともに、当該登録された印刷データを識別する識別情報を前記利用者端末に送信する手段と、前記要求手段により要求された複数の印刷データがある場合に、当該複数の印刷データをそれぞれ識別する複数の識別情報をグループとして登録する手段と、を含み、前記印刷装置は、前記複数の識別情報のうちいずれかを取得した場合に、当該取得した識別情報を前記管理装置に送信する識別情報送信手段を含み、前記受信手段は、前記識別情報送信手段により送信された識別情報を受信し、前記提供手段は、前記受信手段により受信した識別情報が属するグループに含まれる複数の識別情報のそれぞれにより識別される印刷データを前記印刷装置に提供し、前記印刷装置は、前記グループに含まれる識別情報の１つが入力された場合に、前記提供手段により提供された印刷データの中から処理する印刷データを前記利用者の入力に基づいて選択するとともに、当該選択された印刷データを処理する処理手段をさらに含むことを特徴とする請求項１に記載の印刷管理システムである。
【０００９】
また、請求項５に記載の発明は、前記利用者端末は、利用者の要求に係る複数の印刷データの登録を前記管理装置に要求する要求手段を含み、前記管理装置は、前記要求手段により要求された複数の印刷データを前記登録手段に登録するとともに、当該登録された複数の印刷データのグループを識別するグループ識別情報を前記利用者端末に送信する手段を含み、前記印刷装置は、前記グループ識別情報を取得した場合に、当該グループ識別情報を前記管理装置に送信するグループ識別情報送信手段を含み、前記受信手段は、前記グループ識別情報送信手段により送信されたグループ識別情報を受信し、前記提供手段は、前記受信手段により受信したグループ識別情報により識別されるグループに属する複数の印刷データを前記印刷装置に提供し、前記印刷装置は、前記グループ識別情報が利用者から入力された場合に、前記提供手段により提供された印刷データを処理する処理手段をさらに含むことを特徴とする請求項１に記載の印刷管理システムである。
【００１０】
また、請求項６に記載の発明は、利用者端末から受信したデータに基づいて、利用者の印刷要求に係る複数の印刷データを登録する登録手段と、前記登録手段により登録された複数の印刷データのグループを特定する特定情報を印刷装置から受信する受信手段と、前記受信手段により受信した特定情報により特定したグループに属する複数の印刷データを前記印刷装置に提供する提供手段と、を含むことを特徴とする管理装置である。
【００１１】
また、請求項７に記載の発明は、利用者端末から受信したデータに基づいて、利用者の印刷要求に係る複数の印刷データを登録する登録手段と、前記登録手段により登録された複数の印刷データのグループを特定する特定情報を印刷装置から受信する受信手段と、前記受信手段により受信した特定情報により特定したグループに属する複数の印刷データを前記印刷装置に提供する提供手段としてコンピュータを機能させるためのプログラムである。
【発明の効果】
【００１２】
請求項１、４乃至７に記載の発明によれば、本構成を有しない場合と比較して、事前に登録した複数の印刷データを印刷装置で出力する際の利用者の手続を簡単にすることができる。
【００１３】
請求項２及び３に記載の発明によれば、本構成を有しない場合と比較して、事前に登録した複数の印刷データのうち利用者が選択した複数の印刷データを印刷装置で出力する際の利用者の手続を簡単にすることができる。
【図面の簡単な説明】
【００１４】
【図１】本実施形態に係る印刷システムのシステム構成図である。
【図２】携帯端末のハードウェア構成の一例を示す図である。
【図３】管理サーバのハードウェア構成の一例を示す図である。
【図４】プリンタのハードウェア構成の一例を示す図である。
【図５】第１の実施例に係る処理のフローチャートである。
【図６】第１及び第２の実施例に係る処理のフローチャートである。
【図７】第２の実施例に係る処理のフローチャートである。
【図８】第３の実施例に係る処理のフローチャートである。
【図９】第３の実施例に係る処理のフローチャートである。
【図１０】第４の実施例に係る処理のフローチャートである。
【図１１】第４の実施例に係る処理のフローチャートである。
【図１２】印刷データ選択画面の一例を示す図である。
【図１３】内容確認画面の一例を示す図である。
【発明を実施するための形態】
【００１５】
以下、本発明を実施するための実施の形態（以下、実施形態という）を、図面に従って説明する。
【００１６】
図１には、本実施形態に係る印刷システム１のシステム構成図を示した。印刷システム１は、携帯端末１０、管理サーバ２０、プリンタ３０を含む。携帯端末１０は、基地局装置１２を介してネットワーク５に接続して管理サーバ２０と通信し、管理サーバ２０はネットワーク５を介してプリンタ３０とデータ通信する。また、携帯端末１０とプリンタ３０とは、例えば無線通信により相互にデータ通信する。以下、携帯端末１０、管理サーバ２０、プリンタ３０のそれぞれの詳細について説明する。
【００１７】
携帯端末１０は、ユーザにより操作される可搬型のコンピュータであり、例えば携帯電話機（スマートフォンを含む）、ＰＤＡ、タブレットコンピュータ、ノートパソコン等としてよい。
【００１８】
図２には、携帯端末１０のハードウェア構成の一例を示した。図２に示されるように、携帯端末１０は、制御部１００、記憶部１０２、通信部１０４、入力部１０６、表示部１０８を備える。
【００１９】
制御部１００は、ＣＰＵ（Central Processing Unit）を含み、記憶部１０２に記憶されたプログラムに基づいて、各種の演算処理を実行するとともに携帯端末１０の各部を制御する。
【００２０】
記憶部１０２は、携帯端末１０のオペレーティングシステム等の制御プログラムやデータを記憶するほか、制御部１００のワークメモリとしても用いられる。プログラムは、光ディスク、磁気ディスク、磁気テープ、光磁気ディスク、フラッシュメモリ等の情報記憶媒体に格納された状態で携帯端末１０に供給されてもよいし、インターネット等のデータ通信手段を介して携帯端末１０に供給されてもよい。
【００２１】
通信部１０４は、無線通信アンテナを含み、管理サーバ２０やプリンタ３０と通信する。例えば、通信部１０４は、移動体通信用の移動体通信アンテナと、無線ＬＡＮ用の無線ＬＡＮアンテナを含み、移動体通信アンテナにより基地局装置１２と無線通信し、基地局装置１２を介して管理サーバ２０とデータ通信するとともに、無線ＬＡＮアンテナによりプリンタ３０と無線通信する。
【００２２】
入力部１０６は、タッチパネル、キーボード等の入力装置により実現され、ユーザからの操作入力を受け付ける。
【００２３】
表示部１０８は、液晶ディスプレイ等の表示装置により実現され、制御部１００による情報処理の結果（画面）を表示させる。
【００２４】
次に、管理サーバ２０の詳細について説明する。管理サーバ２０は、携帯端末１０から受け付けた印刷データを管理するとともに、プリンタ３０からの要求に応じて、管理する印刷データをプリンタ３０に送信するコンピュータである。
【００２５】
図３には、管理サーバ２０のハードウェア構成の一例を示した。図３に示されるように、管理サーバ２０は、制御部２００、記憶部２０２、通信部２０４を備える。
【００２６】
制御部２００は、ＣＰＵ（Central Processing Unit）を含み、記憶部２０２に記憶されたプログラムに基づいて、各種の演算処理を実行するとともに管理サーバ２０の各部を制御する。
【００２７】
記憶部２０２は、管理サーバ２０のオペレーティングシステム等の制御プログラムやデータを記憶するほか、制御部２００のワークメモリとしても用いられる。プログラムは、光ディスク、磁気ディスク、磁気テープ、光磁気ディスク、フラッシュメモリ等の情報記憶媒体に格納された状態で管理サーバ２０に供給されてもよいし、インターネット等のデータ通信手段を介して管理サーバ２０に供給されてもよい。
【００２８】
通信部２０４は、ネットワークインターフェースカードを含み、ネットワーク５を介して携帯端末１０やプリンタ３０と通信する。
【００２９】
次に、プリンタ３０の詳細について説明する。プリンタ３０は、通信機能を有し、ユーザの要求に係る印刷データを管理サーバ２０からダウンロードして処理する画像形成装置である。本実施形態では、プリンタ３０は課金装置４０と接続し、課金装置４０に必要金額が投入された場合に、管理サーバ２０からダウンロードした印刷データの処理を実行することとしてよい。
【００３０】
次に、プリンタ３０の構成について説明する。図４には、プリンタ３０のハードウェア構成の一例を示した。図４に示されるように、プリンタ３０は、制御部３００、記憶部３０２、通信部３０４、無線通信部３０６、画像形成部３０８、操作パネル部３１０、課金制御部３１２を備える。
【００３１】
制御部３００は、ＣＰＵ（Central Processing Unit）を含み、記憶部３０２に記憶されたプログラムに基づいて、各種の演算処理を実行するとともにプリンタ３０の各部を制御する。
【００３２】
記憶部３０２は、プリンタ３０の制御プログラムやデータを記憶するほか、制御部３００のワークメモリとしても用いられる。プログラムは、光ディスク、磁気ディスク、磁気テープ、光磁気ディスク、フラッシュメモリ等の情報記憶媒体に格納された状態でプリンタ３０に供給されてもよいし、インターネット等のデータ通信手段を介してプリンタ３０に供給されてもよい。
【００３３】
通信部３０４は、ネットワークインターフェースカードによりネットワーク５に接続し、ネットワーク５に接続された他の装置（例えば管理サーバ２０等）とデータ通信する。
【００３４】
無線通信部３０６は、無線通信アンテナにより、他の装置（例えば携帯端末１０等）とデータ通信する。
【００３５】
画像形成部３０８は、制御部３００から入力される画像形成命令（印刷ジョブ）に従って、給紙トレイから供給された印刷媒体（印刷用紙）上に画像を形成する。例えば、画像形成部３０８は、レーザプリンタ方式により画像を形成してもよいし、インクジェットプリンタ方式により画像を形成することとしてもよい。
【００３６】
操作パネル部３１０は、液晶ディスプレイ等の表示装置と、ボタン式やタッチパネル式等の入力装置とを備えた表示機能付き入力装置である。操作パネル部３１０は、プリンタ３０を操作するユーザとの対話型インターフェースとして機能する。
【００３７】
課金制御部３１２は、課金装置４０と接続するインターフェースを備え、課金装置４０と通信する。課金制御部３１２は、通信部３０４により管理サーバ２０から受信した印刷データを印刷するために必要な金額を課金装置４０に通知し、課金装置４０からは必要金額の投入が行われたか否かの通知を受ける。
【００３８】
次に、印刷システム１において行われる第１〜第４の実施例に係る処理の流れを、図５乃至図１１に示したフローチャートを参照しながら順に説明する。
【００３９】
［第１の実施例］
まず、印刷システム１において行われる第１の実施例に係る処理を、図５及び図６に示したフローチャートを参照しながら説明する。
【００４０】
図５には、携帯端末１０が管理サーバ２０に印刷データを登録する際に行われる処理のフローチャートを示した。図５に示されるように、携帯端末１０は、ログインＩＤ及びパスワード等の認証情報を管理サーバ２０に送信し（Ｓ１００１）、認証情報が正しい場合には（本実施形態では認証情報が正しいとする）、管理サーバ２０から認証許可の通知を受ける（Ｓ１００２）。
【００４１】
携帯端末１０は、ユーザの入力に基づいて、印刷の対象とする複数の印刷データを選択し（Ｓ１００３）、選択した複数の印刷データを管理サーバ２０に送信する（Ｓ１００４）。
【００４２】
管理サーバ２０は、携帯端末１０から受信した複数の印刷データを１つのグループとして、当該グループに対して代表予約番号を生成し（Ｓ１００５）、代表予約番号に複数の印刷データを関連付けて管理サーバ２０の記憶部２０２に登録する（Ｓ１００６）。そして、管理サーバ２０は、代表予約番号を含む予約情報を携帯端末１０に送信する（Ｓ１００７）。例えば、予約情報には、代表予約番号の他、複数の印刷データのそれぞれのデータ名、印刷に必要な金額等が含まれることとしてよい。
【００４３】
携帯端末１０は、管理サーバ２０から受信した予約情報に基づいて、内容確認画面を表示させ、ユーザが内容を許可しない場合には（Ｓ１００８：Ｎ）、Ｓ１００３に戻ってそれ以降の処理を繰り返し、ユーザが内容を許可した場合には（Ｓ１００８：Ｙ）、予約情報（代表予約番号を含む）を携帯端末１０の記憶部１０２に保存して（Ｓ１００９）、処理を終了する。
【００４４】
次に、ユーザが携帯端末１０を所持して、プリンタ３０が設置されたエリアに移動した際に行われる処理を図６に示されたフローチャートを参照しながら説明する。
【００４５】
図６に示されるように、携帯端末１０は、プリンタ３０と無線通信が可能なエリア内に入ると、プリンタ３０とリンクを確立し無線通信を開始する（Ｓ２００１）。プリンタ３０は、携帯端末１０から、携帯端末１０の記憶部１０２に記憶された代表予約番号を取得し（Ｓ２００２）、取得した代表予約番号を管理サーバ２０に送信し、代表予約番号に関連付けられる印刷データのダウンロードを要求する（Ｓ２００３）。
【００４６】
管理サーバ２０は、管理サーバ２０の記憶部２０２において、プリンタ３０から受信した代表予約番号に関連付けられる印刷データを取得し（Ｓ２００４）、取得した印刷データをプリンタ３０に送信する（Ｓ２００５）。プリンタ３０は、管理サーバ２０から受信した印刷データを、代表予約番号に関連付けてプリンタ３０の記憶部３０２に保存する（Ｓ２００６）。
【００４７】
次に、プリンタ３０は、プリンタ３０の操作パネル部３１０により、ユーザから代表予約番号の入力を受け付けると（Ｓ２００７）、入力された代表予約番号に関連付けてプリンタ３０の記憶部３０２に記憶された印刷データに基づいて、各印刷データの内容を確認するための印刷内容確認画面を操作パネル部３１０に表示する（Ｓ２００８）。例えば、印刷内容確認画面には、各印刷データの少なくとも一部（例えば１ページ目）のサムネイル画像が含まれることとしてよい。
【００４８】
その後、プリンタ３０は、ユーザにより印刷に必要な金額（必要金額）が課金装置４０に投入されるまで（Ｓ２００９：Ｎ）、待機し、ユーザにより必要金額が課金装置４０に投入されると（Ｓ２００９：Ｙ）、プリンタ３０は、代表予約番号に関連付けられた全ての印刷データに基づく印刷処理を実行する（Ｓ２０１０）。そして、プリンタ３０は、印刷処理が完了した後には、プリンタ３０の記憶部３０２に記憶される印刷データを削除して（Ｓ２０１１）、処理を終了する。
【００４９】
以上説明した第１の実施例に係る処理では、ユーザは代表予約番号を入力することで、プリンタ３０から予め登録した複数の印刷データを出力させることができるため、印刷データごとに予約番号を入力する必要がない。
【００５０】
［第２の実施例］
次に、印刷システム１において行われる第２の実施例に係る処理を、図７に示したフローチャートを参照しながら説明する。
【００５１】
図７には、携帯端末１０が管理サーバ２０に印刷データを登録する際の処理のフローチャートを示した。図７に示されるように、携帯端末１０は、ログインＩＤ及びパスワード等の認証情報を管理サーバ２０に送信し（Ｓ３００１）、認証情報が正しい場合には（本実施形態では認証情報が正しいとする）、管理サーバ２０から認証許可の通知を受ける（Ｓ３００２）。
【００５２】
携帯端末１０は、ユーザの入力に基づいて、印刷の対象とする１つの印刷データを選択し（Ｓ３００３）、選択した１つの印刷データを管理サーバ２０に送信する（Ｓ３００４）。
【００５３】
管理サーバ２０は、携帯端末１０から受信した１つの印刷データに対して予約番号を生成し（Ｓ３００５）、生成した予約番号に印刷データを関連付けて管理サーバ２０の記憶部２０２に登録する（Ｓ３００６）。そして、管理サーバ２０は、受け付けた印刷データに対する予約番号を携帯端末１０に送信する（Ｓ３００７）。
【００５４】
携帯端末１０は、印刷データの予約登録を追加する場合には（Ｓ３００８：Ｙ）、Ｓ３００３に戻ってそれ以降の処理を繰り返し、印刷データの予約登録を追加しない場合には（Ｓ３００８：Ｎ）、予約した印刷データのうちグループ化するものを選択するための印刷データ選択画面を携帯端末１０の表示部１０８に表示する。
【００５５】
図１２には、印刷データ選択画面の一例を示した。図１２に示される印刷データ選択画面において、グループ化する印刷データ（予約番号）を選択し（Ｓ３００９）、「決定」ボタンを押下すると、選択された予約番号の組が管理サーバ２０に送信される（Ｓ３０１０）。
【００５６】
管理サーバ２０は、携帯端末１０から受信した予約番号の組に対して代表予約番号を生成し（Ｓ３０１１）、生成した代表予約番号と予約番号の組を、管理サーバ２０の記憶部２０２に関連付けて登録する（Ｓ３０１２）。そして、管理サーバ２０は、上記生成した代表予約番号を携帯端末１０に送信する（Ｓ３０１３）。
【００５７】
携帯端末１０は、管理サーバ２０から受信した代表予約番号と、代表予約番号に関連付けられる各予約番号の印刷データに基づいて、内容確認画面（図１３を参照）を表示させ、ユーザが内容を許可しない場合（すなわちキャンセルボタンが押下された場合）には（Ｓ３０１４：Ｎ）、Ｓ３００９に戻ってそれ以降の処理を繰り返し、ユーザが内容を許可した場合（すなわちＯＫボタンが押下された場合）には（Ｓ３０１４：Ｙ）、代表予約番号を携帯端末１０の記憶部１０２に保存して（Ｓ３０１５）、処理を終了する。
【００５８】
なお、第２の実施例において、ユーザが携帯端末１０を所持して、プリンタ３０が設置されたエリアに移動した際に行われる処理は、第１の実施例における図６の処理と同様であるため説明を省略する。
【００５９】
以上説明した第２の実施例に係る処理では、携帯端末１０が登録した印刷データのうち、まとめて印刷したいものをユーザが選択してグループ化し、そのグループを特定する代表予約番号をユーザが入力することで、グループ内の印刷データをまとめてプリンタ３０から出力させることができるため、印刷データごとに予約番号を入力する必要がない。
【００６０】
［第３の実施例］
次に、印刷システム１において行われる第３の実施例に係る処理を、図８及び図９に示したフローチャートを参照しながら説明する。
【００６１】
図８には、携帯端末１０が管理サーバ２０に印刷データを登録する際に行われる処理のフローチャートを示した。図８に示されるように、携帯端末１０は、ログインＩＤ及びパスワード等の認証情報を管理サーバ２０に送信し（Ｓ４００１）、認証情報が正しい場合には（本実施形態では認証情報が正しいとする）、管理サーバ２０から認証許可の通知を受ける（Ｓ４００２）。
【００６２】
携帯端末１０は、ユーザの入力に基づいて、印刷の対象とする１つの印刷データを選択し（Ｓ４００３）、選択した１つの印刷データを管理サーバ２０に送信する（Ｓ４００４）。
【００６３】
管理サーバ２０は、携帯端末１０から受信した１つの印刷データに対して予約番号を生成し（Ｓ４００５）、生成した予約番号に印刷データを関連付けて管理サーバ２０の記憶部２０２に登録する（Ｓ４００６）。そして、管理サーバ２０は、受け付けた印刷データに対する予約番号を携帯端末１０に送信する（Ｓ４００７）。
【００６４】
携帯端末１０は、印刷データの予約登録を追加する場合には（Ｓ４００８：Ｙ）、Ｓ４００３に戻ってそれ以降の処理を繰り返し、印刷データの予約登録を追加しない場合には（Ｓ４００８：Ｎ）、予約した印刷データのうちグループ化するものを選択するための印刷データ選択画面（図１２参照）を携帯端末１０の表示部１０８に表示する。
【００６５】
携帯端末１０は、印刷データ選択画面に対するユーザの入力に基づいて、グループ化する印刷データ（予約番号）を選択し（Ｓ４００９）、「決定」ボタンが押下されると、選択された予約番号の組に対して代表予約番号を生成する（Ｓ４０１０）。
【００６６】
携帯端末１０は、代表予約番号と、代表予約番号に関連付けられるそれぞれの予約番号の印刷データに基づいて、内容確認画面（図１３を参照）を表示させ、ユーザが内容を許可しない場合（すなわちキャンセルボタンが押下された場合）には（Ｓ４０１１：Ｎ）、Ｓ４００９に戻ってそれ以降の処理を繰り返し、ユーザが内容を許可した場合（すなわちＯＫボタンが押下された場合）には（Ｓ４０１１：Ｙ）、代表予約番号と選択された予約番号とを関連付けて携帯端末１０の記憶部１０２に保存して（Ｓ４０１２）、処理を終了する。
【００６７】
次に、ユーザが携帯端末１０を所持して、プリンタ３０が設置されたエリアに移動した際に行われる処理を図９に示されたフローチャートを参照しながら説明する。
【００６８】
図９に示されるように、携帯端末１０は、プリンタ３０と無線通信が可能なエリア内に入ると、プリンタ３０とリンクを確立し無線通信を開始する（Ｓ５００１）。プリンタ３０は、携帯端末１０から、携帯端末１０の記憶部１０２に記憶された代表予約番号と、代表予約番号に関連付けられる複数の予約番号を取得し（Ｓ５００２）、取得した複数の予約番号を管理サーバ２０に送信し、複数の予約番号にそれぞれ関連付けられる印刷データのダウンロードを要求する（Ｓ５００３）。
【００６９】
管理サーバ２０は、管理サーバ２０の記憶部２０２において、プリンタ３０から受信した複数の予約番号にそれぞれ関連付けられる印刷データを取得し（Ｓ５００４）、取得したそれぞれの印刷データをプリンタ３０に送信する（Ｓ５００５）。プリンタ３０は、管理サーバ２０から受信した印刷データを、代表予約番号に関連付けてプリンタ３０の記憶部３０２に保存する（Ｓ５００６）。
【００７０】
次に、プリンタ３０は、プリンタ３０の操作パネル部３１０により、ユーザから代表予約番号の入力を受け付けると（Ｓ５００７）、入力された代表予約番号に関連付けてプリンタ３０の記憶部３０２に記憶された印刷データに基づいて、各印刷データの内容を確認するための印刷内容確認画面を操作パネル部３１０に表示する（Ｓ５００８）。例えば、印刷内容確認画面には、各印刷データの少なくとも一部（例えば１ページ目）のサムネイル画像が含まれることとしてよい。
【００７１】
その後、プリンタ３０は、ユーザにより印刷に必要な金額（必要金額）が課金装置４０に投入されるまで（Ｓ５００９：Ｎ）、待機し、ユーザにより必要金額が課金装置４０に投入されると（Ｓ５００９：Ｙ）、プリンタ３０は、代表予約番号に関連付けられた全ての印刷データに基づく印刷処理を実行する（Ｓ５０１０）。そして、プリンタ３０は、印刷処理が完了した後には、プリンタ３０の記憶部３０２に記憶される印刷データを削除して（Ｓ５０１１）、処理を終了する。
【００７２】
以上説明した第３の実施例に係る処理では、携帯端末１０が登録した印刷データのうち、ユーザがまとめて印刷したいものを選択してグループ化し、そのグループを特定する代表予約番号をユーザが入力することで、グループの印刷データをまとめてプリンタ３０から出力させることができるため、印刷データごとに予約番号を入力する必要がない。なお、第３の実施例の処理は、携帯端末１０のアプリケーションにより対応可能なため、管理サーバ２０のプログラム変更の必要もない。
【００７３】
［第４の実施例］
次に、印刷システム１において行われる第４の実施例に係る処理を、図１０及び図１１に示したフローチャートを参照しながら説明する。
【００７４】
図１０には、携帯端末１０が管理サーバ２０に印刷データを登録する際に行われる処理のフローチャートを示した。図１０に示されるように、携帯端末１０は、ログインＩＤ及びパスワード等の認証情報を管理サーバ２０に送信し（Ｓ６００１）、認証情報が正しい場合には（本実施形態では認証情報が正しいとする）、管理サーバ２０から認証許可の通知を受ける（Ｓ６００２）。
【００７５】
携帯端末１０は、ユーザの入力に基づいて、印刷の対象とする１つの印刷データを選択し（Ｓ６００３）、選択した１つの印刷データを管理サーバ２０に送信する（Ｓ６００４）。
【００７６】
管理サーバ２０は、携帯端末１０から受信した１つの印刷データに対して予約番号を生成し（Ｓ６００５）、生成した予約番号に対応付けて印刷データを関連付けて管理サーバ２０の記憶部２０２に登録する（Ｓ６００６）。そして、管理サーバ２０は、受け付けた印刷データに対する予約番号を含む予約情報を携帯端末１０に送信する（Ｓ６００７）。携帯端末１０は、管理サーバ２０から受信した予約番号を記憶部１０２に記憶する。
【００７７】
携帯端末１０は、印刷データの予約登録を追加する場合には（Ｓ６００８：Ｙ）、Ｓ６００３に戻ってそれ以降の処理を繰り返し、印刷データの予約登録を追加しない場合には（Ｓ６００８：Ｎ）、処理を終了する。
【００７８】
管理サーバ２０は、同一のログインＩＤについて予め定められた期間内に登録された印刷データの予約番号をグループ化して管理サーバ２０の記憶部２０２に登録して（Ｓ６００９）、処理を終了する。
【００７９】
次に、ユーザが携帯端末１０を所持して、プリンタ３０が設置されたエリアに移動した際に行われる処理を図１１に示されたフローチャートを参照しながら説明する。
【００８０】
図１１に示されるように、携帯端末１０は、プリンタ３０と無線通信が可能なエリア内に入ると、プリンタ３０とリンクを確立し無線通信を開始する（Ｓ７００１）。プリンタ３０は、携帯端末１０から、携帯端末１０の記憶部１０２に記憶された予約番号を取得し（Ｓ７００２）、取得した予約番号を管理サーバ２０に送信し、予約番号と同じグループの各予約番号にそれぞれ関連付けられる印刷データのダウンロードを要求する（Ｓ７００３）。
【００８１】
管理サーバ２０は、管理サーバ２０の記憶部２０２において、プリンタ３０から受信した予約番号と同じグループの予約番号にそれぞれ関連付けられる印刷データを取得し（Ｓ７００４）、取得したそれぞれの印刷データをプリンタ３０に送信する（Ｓ７００５）。プリンタ３０は、管理サーバ２０から受信した印刷データを、予約番号に関連付けてプリンタ３０の記憶部３０２に保存する（Ｓ７００６）。
【００８２】
次に、プリンタ３０は、プリンタ３０の操作パネル部３１０により、ユーザから予約番号の入力を受け付けると（Ｓ７００７）、入力された予約番号と同じグループとしてプリンタ３０の記憶部３０２に関連付けて記憶された予約番号の印刷データに基づいて、処理する印刷データを選択するための印刷データ選択画面を操作パネル部３１０に表示する（Ｓ７００８）。例えば、印刷データ選択画面には、各印刷データの少なくとも一部（例えば１ページ目）のサムネイル画像が含まれることとしてよい。
【００８３】
プリンタ３０は、ユーザからの操作パネル部３１０への入力に基づいて印刷データを選択するとともに（Ｓ７００９）、選択された印刷データの出力に必要な金額を操作パネル部３１０に表示する。
【００８４】
その後、プリンタ３０は、ユーザにより印刷に必要な金額（必要金額）が課金装置４０に投入されるまで（Ｓ７０１０：Ｎ）、待機し、ユーザにより必要金額が課金装置４０に投入されると（Ｓ７０１０：Ｙ）、プリンタ３０は、代表予約番号に関連付けられた全ての印刷データに基づく印刷処理を実行する（Ｓ７０１１）。そして、プリンタ３０は、印刷処理が完了した後には、プリンタ３０の記憶部３０２に記憶される印刷データを削除して（Ｓ７０１２）、処理を終了する。
【００８５】
以上説明した第４の実施例に係る処理では、携帯端末１０から登録された印刷データを管理サーバ２０がグループ化し、ユーザが入力した予約番号の印刷データが属するグループの印刷データのうちユーザにより選択されたものをまとめてプリンタ３０から出力させることができるため、印刷データごとに予約番号を入力する必要がない。
【００８６】
本発明は上記の実施形態に限定されるものではない。例えば、上記の実施形態では、プリンタ３０が携帯端末１０から代表予約番号や予約番号をユーザの入力前に取得し、印刷データを管理サーバ２０から予めダウンロードしておく例を説明したが、ユーザから代表予約番号や予約番号が入力された後に、管理サーバ２０から印刷データをダウンロードするようにしてもよい。
【符号の説明】
【００８７】
１  印刷システム、５  ネットワーク、１０  携帯端末、１２  基地局装置、２０  管理サーバ、３０  プリンタ、４０  課金装置、１００  制御部、１０２  記憶部、１０４  通信部、１０６  入力部、１０８  表示部、２００  制御部、２０２  記憶部、２０４  通信部、３００  制御部、３０２  記憶部、３０４  通信部、３０６  無線通信部、３０８  画像形成部、３１０  操作パネル部、３１２  課金制御部。
【図１】
2013196498.tif 000003
【図２】
2013196498.tif 000004
【図３】
2013196498.tif 000005
【図４】
2013196498.tif 000006
【図５】
2013196498.tif 000007
【図６】
2013196498.tif 000008
【図７】
2013196498.tif 000009
【図８】
2013196498.tif 000010
【図９】
2013196498.tif 000011
【図１０】
2013196498.tif 000012
【図１１】
2013196498.tif 000013
【図１２】
2013196498.tif 000014
【図１３】
2013196498.tif 000015